(57)【要約】【課題】プロジェクターの取り付けが容易なプロジェクター支持装置を提供する。【解決手段】プロジェクター支持装置１は、プロジェクター１００を内部に配置可能な本体フレーム２Ａと、プロジェクター１００の上方から本体フレーム２Ａとプロジェクター１００とを連結し、プロジェクター１００の姿勢を調整する調整機構３と、を備え、本体フレーム２Ａは、プロジェクター１００の上側を保護し、調整機構３を支持する第１フレーム２１と、プロジェクター１００の下側を保護する第２フレーム２２と、第１フレーム２１と第２フレーム２２とを分離可能に連結する連結部２３と、を備える。【選択図】図２
2015132749.tif 000002
【特許請求の範囲】
【請求項１】
プロジェクターを支持するプロジェクター支持装置であって、
前記プロジェクターを内部に配置可能な本体フレームと、
前記プロジェクターの上方から前記本体フレームと前記プロジェクターとを連結し、前記プロジェクターの姿勢を調整する調整機構と、
を備え、
前記本体フレームは、
前記プロジェクターの上側を保護し、前記調整機構を支持する第１フレームと、
前記プロジェクターの下側を保護する第２フレームと、
前記第１フレームと前記第２フレームとを分離可能に連結する連結部と、
を備えることを特徴とするプロジェクター支持装置。
【請求項２】
請求項１に記載のプロジェクター支持装置であって、
前記プロジェクターを支持し、前記第２フレームが分離された状態で、前記第１フレームおよび前記第１フレームに配置される部材は、前記プロジェクターの下端より上側に位置することを特徴とするプロジェクター支持装置。
【請求項３】
請求項１または請求項２に記載のプロジェクター支持装置であって、
前記第１フレームは、前記第２フレームに向かって延出する第１延出部を有し、
前記第２フレームは、前記第１延出部に向かって延出する第２延出部を有し、
前記連結部は、前記第１延出部の先端部に設けられた係合部と、前記第２延出部の先端部に設けられ、前記係合部と係合する被係合部と、
を備えることを特徴とするプロジェクター支持装置。
【請求項４】
請求項３に記載のプロジェクター支持装置であって、
前記第１フレームは、前記第１延出部または前記第１延出部に配置される部材と、前記第２延出部または前記第２延出部に配置される部材とが面接触することにより、前記第２フレームに対する前記第１延出部の延出方向に沿う第１方向の位置が決められることを特徴とするプロジェクター支持装置。
【請求項５】
請求項３または請求項４に記載のプロジェクター支持装置であって、
前記係合部および前記被係合部のいずれか一方は、内面にネジ溝を有し、前記第１延出部の延出方向に沿う第１方向における所定の範囲で移動が可能な可動部材であり、
前記係合部および前記被係合部のいずれか他方は、外面に前記可動部材のネジ溝に螺合可能なネジ溝を有する固定部材であることを特徴とするプロジェクター支持装置。
【請求項６】
請求項５に記載のプロジェクター支持装置であって、
前記第１方向における前記可動部材の前記他方側への移動により、所定の位置で前記可動部材を係止する係止部を備え、
前記可動部材は、前記係止部に対し、前記第１方向に交差する方向において遊嵌状態で配置されることを特徴とするプロジェクター支持装置。
【請求項７】
請求項１〜請求項６のいずれか一項に記載のプロジェクター支持装置であって、
前記第１フレームまたは前記第１フレームに配置される部材、および前記第２フレームまたは前記第２フレームに配置される部材のいずれか一方は、他方に向かって突出する突出部を有し、
前記他方は、前記第１フレームと前記第２フレームとが連結される際に、前記突出部が挿入される凹部を有していることを特徴とするプロジェクター支持装置。
【請求項８】
請求項１〜請求項７のいずれか一項に記載のプロジェクター支持装置であって、
前記調整機構は、前記第１フレームおよび前記第１フレームに配置される部材の下端より上側に位置していることを特徴とするプロジェクター支持装置。
【発明の詳細な説明】
【技術分野】
【０００１】
本発明は、プロジェクター支持装置に関する。
【背景技術】
【０００２】
従来、光源から射出された光を画像情報に応じて変調し、変調した光をスクリーン等の投写面に投写するプロジェクターが知られている。そして、より明るい画像を投写するためや、光源の消灯時等に他のプロジェクターで速やかに画像を継続して投写できるように、複数のプロジェクターを重ねて配置できるようにプロジェクターを支持する装置が提案されている（例えば、特許文献１参照）。
【０００３】
特許文献１に記載の装置（マルチスタッキング投写装置）は、ユニット化された支持台が連結軸およびスペーサーを介して複数積層できるように構成されている。
支持台は、プロジェクターを載せる載せ板を備え、載せ板の傾きおよび左右方向の調整機構が連繋されている。そして、この載せ板には、プロジェクター取付孔が設けられている。特許文献１には、プロジェクターの固定方法は記載されていないが、プロジェクターは、載せ板のプロジェクター取付孔にネジ等が挿通されて載せ板に固定されると考えられる。
【先行技術文献】
【特許文献】
【０００４】
【特許文献１】特開２０００−１３７２８８号公報
【発明の概要】
【発明が解決しようとする課題】
【０００５】
しかしながら、特許文献１に記載のマルチスタッキング投写装置は、載せ板にプロジェクターを固定する際に、プロジェクターを上下反転させることや、組立作業者が載せ板の下方から作業できるように、載せ板およびプロジェクターを高所に配置することが必要となる。このため、上下反転して載置しても損傷しないようにプロジェクターを構成することや、プロジェクターの固定作業のための設備が必要となる。さらに、特許文献１に記載のマルチスタッキング投写装置は、複数のプロジェクターを重ねて配置する際や、複数重ねて配置されたプロジェクターを取り出す際に、複数の連結軸および複数のスペーサーも組立、分解が必要なため、作業が煩雑になるという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクター支持装置は、プロジェクターを支持するプロジェクター支持装置であって、前記プロジェクターを内部に配置可能な本体フレームと、前記プロジェクターの上方から前記本体フレームと前記プロジェクターとを連結し、前記プロジェクターの姿勢を調整する調整機構と、を備え、前記本体フレームは、前記プロジェクターの上側を保護し、前記調整機構を支持する第１フレームと、前記プロジェクターの下側を保護する第２フレームと、前記第１フレームと前記第２フレームとを分離可能に連結する連結部と、を備えることを特徴とする。
【０００８】
この構成によれば、プロジェクター支持装置は、プロジェクターの上側および下側を保護するように形成された本体フレームを有し、この本体フレームは、上側となる第１フレームと、下側となる第２フレームとに分離可能に構成されている。そして、プロジェクターは、調整機構を介して第１フレームに支持され、第１フレームは連結部によって第２フレームに連結される。これによって、第１フレームに調整機構を介してプロジェクターを取り付けた後、この第１フレームを第２フレームに連結させることができる。よって、プロジェクターをプロジェクター支持装置に支持させる際に、プロジェクターを上下反転させたり、プロジェクターが損傷しないようにプロジェクター支持装置内に慎重に配置したりすることなく、容易にプロジェクター支持装置内の所定の位置にプロジェクターを配置することができる。同様に、プロジェクター支持装置に支持されたプロジェクターを取り出す場合にも、プロジェクターを上下反転させることなく第１フレームと第２フレームとを分離し、容易にプロジェクターを取り出すことができる。
また、分離されないように構成されたプロジェクター支持装置に比べ、プロジェクターとプロジェクター支持装置との間を小さくできるので、プロジェクター支持装置の小型化が可能となる。
また、プロジェクター支持装置は、上下に分離できるので、輸送等で梱包される際に、コンパクトな収納が可能となり、分離されないように構成されたプロジェクター支持装置に比べ、トラック等の荷積み可能な領域により多くの数を収納できるので、輸送効率が向上する。
【０００９】
［適用例２］上記適用例に係るプロジェクター支持装置において、前記プロジェクターを支持し、前記第２フレームが分離された状態で、前記第１フレームおよび前記第１フレームに配置される部材は、前記プロジェクターの下端より上側に位置することが好ましい。
【００１０】
この構成によれば、プロジェクター支持装置は、上述したように構成されているので、プロジェクターを床等に載置した状態で、プロジェクターを持ち上げたりすることなく、調整機構や第１フレームの取り付け、取り外しができる。よって、プロジェクターのプロジェクター支持装置への取り付け、取り外しが容易となる。
【００１１】
［適用例３］上記適用例に係るプロジェクター支持装置において、前記第１フレームは、前記第２フレームに向かって延出する第１延出部を有し、前記第２フレームは、前記第１延出部に向かって延出する第２延出部を有し、前記連結部は、前記第１延出部の先端部に設けられた係合部と、前記第２延出部の先端部に設けられ、前記係合部と係合する被係合部と、を備えることが好ましい。
【００１２】
この構成によれば、係合部と被係合部とを係合させることで、第１フレームと第２フレームとを連結し、係合を解除させることで第１フレームと第２フレームとを分離することができる。よって、第１フレームと第２フレームとの連結、分離を容易に行うことが可能となる。
【００１３】
［適用例４］上記適用例に係るプロジェクター支持装置において、前記第１フレームは、前記第１延出部または前記第１延出部に配置される部材と、前記第２延出部または前記第２延出部に配置される部材とが面接触することにより、前記第２フレームに対する前記第１延出部の延出方向に沿う第１方向の位置が決められることが好ましい。
【００１４】
第１フレームと第２フレームとが連結された際に、第１フレーム、調整機構およびプロジェクターの重量が接触する部位に加わることとなる。この構成によれば、接触する部位が面接触するように構成されているので、第１フレーム、調整機構およびプロジェクターの重量を面で支えることができる。よって、長期に亘って安定してプロジェクターを支持できるプロジェクター支持装置の提供が可能となる。
【００１５】
［適用例５］上記適用例に係るプロジェクター支持装置において、前記係合部および前記被係合部のいずれか一方は、内面にネジ溝を有し、前記第１延出部の延出方向に沿う第１方向における所定の範囲で移動が可能な可動部材であり、前記係合部および前記被係合部のいずれか他方は、外面に前記可動部材のネジ溝に螺合可能なネジ溝を有する固定部材であることが好ましい。
【００１６】
この構成によれば、可動部材を回転して可動部材のネジ溝と固定部材のネジ溝とを螺合させることで第１フレームと第２フレームとを連結し、可動部材を反対方向に回転して螺合を解除させることで第１フレームと第２フレームとを分離することができる。よって、第１フレームと第２フレームとの連結、分離を行うためのレバー等の突出部を設けることなく、容易に第１フレームと第２フレームとの連結、分離を行えるプロジェクター支持装置が可能となる。また、レバー等の突出部がなく本体フレームを構成できるので、プロジェクター支持装置の取り扱い性の向上や見栄えの向上が可能となる。
【００１７】
［適用例６］上記適用例に係るプロジェクター支持装置において、前記第１方向における前記可動部材の前記他方側への移動により、所定の位置で前記可動部材を係止する係止部を備え、前記可動部材は、前記係止部に対し、前記第１方向に交差する方向において遊嵌状態で配置されることが好ましい。
【００１８】
この構成によれば、可動部材は、係止部に対し、遊嵌状態で配置されるので、可動部材と固定部材とを精度良く合わせなくとも、可動部材のネジ溝と固定部材のネジ溝とを螺合させることが可能となる。よって、容易に第１フレームと第２フレームとを連結させることが可能となる。
【００１９】
［適用例７］上記適用例に係るプロジェクター支持装置において、前記第１フレームまたは前記第１フレームに配置される部材、および前記第２フレームまたは前記第２フレームに配置される部材のいずれか一方は、他方に向かって突出する突出部を有し、前記他方は、前記第１フレームと前記第２フレームとが連結される際に、前記突出部が挿入される凹部を有していることが好ましい。
【００２０】
この構成によれば、第１フレームと第２フレームとを連結する際に、凹部に突出部を挿入することで、第１フレームと第２フレームとを位置合わせすることができる。よって、容易に第１フレームと第２フレームとを連結することが可能となる。
【００２１】
［適用例８］上記適用例に係るプロジェクター支持装置において、前記調整機構は、前記第１フレームおよび前記第１フレームに配置される部材の下端より上側に位置していることが好ましい。
【００２２】
この構成によれば、調整機構が支持された第１フレームを床等に載置した場合であっても、調整機構は、床等に接触しないので、調整機構に負荷を与えずにプロジェクター支持装置の組み立て作業や設置作業等を行うことができる。
【図面の簡単な説明】
【００２３】
【図１】本実施形態のプロジェクター支持装置、およびプロジェクター支持装置に支持されたプロジェクターを示す斜視図。
【図２】本実施形態の第１フレームと第２フレームとが分離されたプロジェクター支持装置を示す斜視図。
【図３】本実施形態の調整機構支持部、および調整機構の分解斜視図。
【図４】本実施形態の本体フレームにおける連結部近傍を示す断面図。
【図５】本実施形態のプロジェクター支持装置、およびプロジェクター支持装置に支持されたプロジェクターを示す側面図。
【発明を実施するための形態】
【００２４】
以下、本実施形態に係るプロジェクター支持装置について、図面を参照して説明する。
本実施形態のプロジェクター支持装置は、プロジェクターを保護しつつプロジェクターを支持する機能、およびプロジェクターの姿勢を調整する機能を有している。
本実施形態のプロジェクター支持装置は、プロジェクターを支持した状態で、机上等への載置や、天井等に吊り下げられる天吊り設置が可能に構成され、机上等への載置および天吊り設置で、プロジェクターの向きが同一となるようにプロジェクターを支持する。
そして、プロジェクターは、プロジェクター支持装置が設置された設置姿勢において、投写面に横長の画像を投写する。
【００２５】
図１は、机上等（図示省略）に載置されたプロジェクター支持装置１、およびプロジェクター支持装置１に支持されたプロジェクター１００を示す斜視図である。
プロジェクター１００は、詳細な説明は省略するが、光源と、光源から射出された光を変調する光変調装置と、図１に示すように、変調された光を投写する投写光学系としての投写レンズ１１０と、これらの構成部材を収納する外装筐体１２０と、を備える。そして、プロジェクター１００は、光源から射出された光を画像情報に応じて変調し、変調した光をスクリーン等の投写面に拡大投写する。
【００２６】
なお、以下では、説明の便宜上、プロジェクター支持装置１の設置姿勢において、プロジェクター１００から射出される光の方向を前方（＋Ｙ方向）、重力に逆らう方向を上方（＋Ｚ方向）、投写面側から見て右側を右方（＋Ｘ方向）として記載する。
また、本実施形態のプロジェクター支持装置１は、上下方向に複数重ねることができるように構成されている。これによって、複数のプロジェクター１００による、より明るい画像の投写や、重ねて配置されたうちの１つのプロジェクター１００の光源が消灯した場合等に、他のプロジェクター１００で速やかに画像を継続して投写できる。
【００２７】
外装筐体１２０は、詳細な図は省略するが、上部を形成する上ケース、および下部を形成する下ケース等の複数の部材で構成されている。
外装筐体１２０の前側の面には、図１に示すように、中央部に開口部が形成されており、この開口部から投写レンズ１１０の先端が露出している。
外装筐体１２０の上ケースには、一対のハンドル１２１が設けられている。
一対のハンドル１２１は、プロジェクター１００が持ち運ばれる際等に使用者により把持される部位である。一対のハンドル１２１は、互いに略平行で、前後方向に沿って延出し、それぞれの中央部には、上ケースの上面との間に使用者の指が挿通可能な空隙が設けられている。
また、外装筐体１２０の下面には、脚部１２Ｆが設けられている。脚部１２Ｆは、プロジェクター１００が単独で机上等に載置される際にプロジェクター１００を支持する。
【００２８】
〔プロジェクター支持装置の構成〕
プロジェクター支持装置１は、図１に示すように、本体フレーム２Ａを有する支持本体部２、および本体フレーム２Ａとプロジェクター１００とを連結し、プロジェクター１００の姿勢を調整する調整機構３を備える。
【００２９】
支持本体部２は、本体フレーム２Ａに加え、第１脚部２Ｆａ、第２脚部２Ｆｂ、およびスタック用結合部２Ｓを備える。
本体フレーム２Ａは、内部にプロジェクター１００を配置できるように構成され、プロジェクター１００を保護する機能、および調整機構３を介してプロジェクター１００を支持する機能を有している。
【００３０】
本体フレーム２Ａは、プロジェクター１００の上側を保護する第１フレーム２１、プロジェクター１００の下側を保護する第２フレーム２２、および第１フレーム２１と第２フレーム２２とを分離可能に連結する連結部２３を有している。
【００３１】
図２は、第１フレーム２１と第２フレーム２２とが分離されたプロジェクター支持装置１を示す斜視図である。
第１フレーム２１は、図２に示すように、上フレーム２１１、第１延出部２１２および調整機構支持部２５を有している。
上フレーム２１１は、パイプ状の部材で形成され、プロジェクター１００上方の前側および左右の両側に配置されている。
第１延出部２１２は、パイプ状の部材で４つ設けられ、上フレーム２１１の四隅近傍から第２フレーム２２側に向かって延出している。
図２に示すように、４つの第１延出部２１２のうち、後側の２つの第１延出部２１２は、上フレーム２１１から下方に屈曲され、前側の２つの第１延出部２１２は、基端側が溶接等により上フレーム２１１に固定されている。
【００３２】
調整機構支持部２５は、調整機構３を支持する機能を有し、図２に示すように、断面が矩形の直線に沿って延出する管状の部材である４つの柱状部２５Ｆ，２５Ｂ，２５Ｌ，２５Ｒが溶接等によって組み合わされて構成されている。具体的に、調整機構支持部２５は、前側に位置する柱状部２５Ｆ、および後側に位置する柱状部２５Ｂが上フレーム２１１における左右の部位に架橋され、右側に位置する柱状部２５Ｒ、および左側に位置する柱状部２５Ｌが柱状部２５Ｆ，２５Ｂに架橋されて構成されている。なお、柱状部２５Ｆ，２５Ｂ，２５Ｌ，２５Ｒの断面形状は、矩形に限らず円形であってもよい。
【００３３】
第２フレーム２２は、パイプ状の部材で形成され、図２に示すように、下フレーム２２１、および第２延出部２２２を有している。
下フレーム２２１は、プロジェクター１００下方の前後左右に平面視矩形状に配置されている。
第２延出部２２２は、４つの第１延出部２１２に対応して４つ設けられ、下フレーム２２１から第１延出部２１２に向かって延出している。
図２に示すように、４つの第２延出部２２２のうち、後側の２つの第２延出部２２２は、下フレーム２２１から上方に屈曲され、前側の２つの第２延出部２２２は、基端側が溶接等により下フレーム２２１に固定されている。
【００３４】
連結部２３は、後で詳細に説明するが、各第１延出部２１２の先端部に設けられた係合部、および各第２延出部２２２の先端部に設けられ、係合部と係合する被係合部を備え、各第１フレーム２１と各第２フレーム２２とを分離可能に連結する。
【００３５】
第１脚部２Ｆａは、プロジェクター支持装置１が机上等に載置される際にプロジェクター支持装置１を支持する部材であり、下フレーム２２１の四隅から下方に突出している。
【００３６】
第２脚部２Ｆｂは、上フレーム２１１および下フレーム２２１の左側（−Ｘ側）の部位にそれぞれ２個配置されている。プロジェクター支持装置１は、左側（−Ｘ側）が下側となる姿勢で机上等に載置可能に構成されており、第２脚部２Ｆｂは、この姿勢の際に、プロジェクター支持装置１を支持する。すなわち、プロジェクター支持装置１は、プロジェクター１００が投写面に縦長の画像を投写する姿勢で机上等に載置可能に構成されている。また、プロジェクター支持装置１は、プロジェクター１００が投写面に縦長の画像を投写する姿勢で天井等に吊り下げられることも可能である。
【００３７】
スタック用結合部２Ｓは、設置姿勢（プロジェクターが横長の画像を投写する姿勢）において、複数のプロジェクター支持装置１を上下に重ねて配置できるように、上下のプロジェクター支持装置１を接続する部材であり、上フレーム２１１に複数配置されている。
【００３８】
調整機構３は、プロジェクター１００の上方から第１フレーム２１とプロジェクター１００とを連結し、プロジェクター１００の姿勢を調整可能に構成されている。具体的に、調整機構３は、Ｚ方向に延出する軸（後述する第１中心軸１０Ａｘ、図３参照）を中心とする回転方向の調整（水平回転調整）、Ｙ方向に延出する軸（後述する第２中心軸２０Ａｘ、図３参照）を中心とする回転方向の調整（水平ロール調整）、およびＸ方向に延出する軸（後述する第３中心軸３０Ａｘ、図３参照）を中心とする回転方向の調整（チルト調整）が可能に構成されている。
【００３９】
〔調整機構の構成〕
ここで、調整機構３について、詳細に説明する。
図３は、本体フレーム２Ａにおける調整機構支持部２５、および調整機構３の分解斜視図である。
調整機構３は、図３に示すように、ベース部３０、第１支持部３１、第２支持部３２、第３支持部３３、３つの支持軸３４，３５（１つの支持軸は図示省略）、および調整部４を備える。
【００４０】
ベース部３０は、板金で形成され、図３に示すように、左右の両側が調整機構支持部２５の柱状部２５Ｒ，２５Ｌに固定される。ベース部３０には、図３に示すように、上下方向（鉛直方向）に延出する第１中心軸１０Ａｘを中心とする丸孔３０１が形成されている。
【００４１】
第１支持部３１は、板金で形成されており、ベース部３０の下方に配置される。第１支持部３１は、図３に示すように、上面部３１１、上面部３１１の前後の両側から下方に屈曲された一対の側面部３１２、および上面部３１１の右側から下方に屈曲した後、右方に延出する取付部３１３を有している。この取付部３１３には、突出部材３１５が設けられている。
突出部材３１５は、板金製であり、取付部３１３から右方に延出する部材と、この部材の先端部に固定され、下方に延出する部材とを有しており、これらの部材は、延出する方向に直交する両側が屈曲され、強度が高められている。
【００４２】
上面部３１１には、第１中心軸１０Ａｘを中心とする丸孔３１１ｈが形成され、一対の側面部３１２には、前後方向に延出する第２中心軸２０Ａｘを中心とする丸孔３１２ｈが形成されている。
ベース部３０の丸孔３０１および第１支持部３１の丸孔３１１ｈには、支持軸３４が挿通され、第１支持部３１は、第１中心軸１０Ａｘを中心としてベース部３０に回動可能に支持される。
【００４３】
第２支持部３２は、板金で形成されており、第１支持部３１の下方に配置される。第２支持部３２は、図３に示すように、上面部３２１、上面部３２１の前後の両側から上方に屈曲された一対の側面部３２２、および上面部３２１の左右の両側から下方に屈曲された一対の側面部３２３を有している。
上面部３２１には、突出部材３２５が設けられている。
突出部材３２５は、板金製であり、上面部３２１から右方に延出する部材と、この部材の先端部に固定され、下方に延出する部材とを有しており、これらの部材は、延出する方向に直交する両側が屈曲され、強度が高められている。
【００４４】
一対の側面部３２２は、第１支持部３１の一対の側面部３１２が挿入可能に離間している。そして、一対の側面部３２２には、第２中心軸２０Ａｘと同軸となる中心軸を中心とする丸孔３２２ｈが形成され、一対の側面部３２３には、左右方向に延出する第３中心軸３０Ａｘを中心とする丸孔３２３ｈが形成されている。第３中心軸３０Ａｘは、投写レンズ１１０の光軸１１０Ａｘ（図１参照）を通る鉛直面に直交する方向に延出することとなる。
第１支持部３１の丸孔３１２ｈおよび第２支持部３２の丸孔３２２ｈには、支持軸３５が挿通され、第２支持部３２は、第２中心軸２０Ａｘを中心として第１支持部３１に回動可能に支持される。
【００４５】
第３支持部３３は、図３に示すように、第２支持部３２の下方に配置される。第３支持部３３は、断面が矩形の直線に沿って延出する４つの管状のフレーム３３Ｆ，３３Ｂ，３３Ｌ，３３Ｒが組み合わされて構成されている。具体的に、第３支持部３３は、中央に開口部３３Ａが設けられるように、フレーム３３Ｆ，３３Ｂ，３３Ｌ，３３Ｒそれぞれが前後左右に配置され、ネジや溶接等によって組み立てられている。なお、フレーム３３Ｆ，３３Ｂ，３３Ｌ，３３Ｒの断面形状は、矩形に限らず円形であってもよい。
【００４６】
フレーム３３Ｆ，３３Ｂ，３３Ｌ，３３Ｒは、開口部３３Ａ内に第２支持部３２の下側の部位が配置される大きさで、フレーム３３Ｆ，３３Ｂの左右の両側がフレーム３３Ｒ，３３Ｌから突出するように組み合わされている。
第３支持部３３は、図１に示すように、フレーム３３Ｒ，３３Ｌから突出するフレーム３３Ｆ，３３Ｂの先端部がプロジェクター１００の一対のハンドル１２１にネジ固定され、プロジェクター１００を保持する。
【００４７】
また、フレーム３３Ｒ，３３Ｌには、第３中心軸３０Ａｘと同軸となる中心軸を中心とする丸孔が形成されており、この丸孔、および第２支持部３２の丸孔３２３ｈには、支持軸（図示省略）が挿通され、第３支持部３３は、第３中心軸３０Ａｘを中心に、第２支持部３２に対して回動可能に支持される。
【００４８】
調整部４は、図３に示すように、第１調整部４１、第２調整部４２および第３調整部４３を備え、第１支持部３１、第２支持部３２および第３支持部３３をそれぞれ個別に回動させる。
【００４９】
第１調整部４１は、延出部４１１、および第１操作部５を備え、ベース部３０に対し、第１中心軸１０Ａｘを中心として第１支持部３１を回動させる。
延出部４１１は、第１支持部３１の取付部３１３に固定され、第１中心軸１０Ａｘに交差する方向、具体的には、後方（−Ｙ方向）に延出している。
【００５０】
第１操作部５は、図３に示すように、第１案内部５３、第１ガイド軸５１、第１ガイド軸５１を支持する軸支持部５２、および一対のダイアル部８Ａ，８Ｂを備える。
第１案内部５３は、板金製で延出部４１１の先端に取り付けられ、左右方向が上下方向より大きいトラック状の挿通孔５３ｈが形成されている。
【００５１】
軸支持部５２は、板金製で屈曲されて形成されており、柱状部２５Ｒ近傍の柱状部２５Ｂの下側に取り付けられている。
第１ガイド軸５１は、ネジ溝を有し、一端側が軸支持部５２に固定され、他端側が第１案内部５３の挿通孔５３ｈに挿通され、第１中心軸１０Ａｘに交差する方向、具体的には前後方向に延出するように配置される。
【００５２】
一対のダイアル部８Ａ，８Ｂは、第１ガイド軸５１のネジ溝に螺合するネジ溝が形成され、第１案内部５３を挟持するように構成されている。
第１案内部５３は、第１操作部５のダイアル部８Ａ，８Ｂが回転されることにより、ダイアル部８Ａ，８Ｂに挟持されている状態が開放される。そして、第１案内部５３の移動、すなわち、延出部４１１の押出しや引入れが可能となり、延出部４１１に接続されている第１支持部３１は、第１中心軸１０Ａｘから離れている部位が押し出されたり引き入れされたりすることによって、第１中心軸１０Ａｘを中心に回動する。
【００５３】
第２調整部４２は、図３に示すように、延出部４２１、および第２操作部６を備え、第１支持部３１に対し、第２中心軸２０Ａｘを中心として第２支持部３２を回動させる。
延出部４２１は、第２支持部３２の上面部３２１に取り付けられ、突出部材３１５の下方に位置するように設けられている。延出部４２１は、板金製であり、第１中心軸１０Ａｘに沿う方向に交差する方向、具体的には、右方（＋Ｘ方向）に延出する部材と、この部材の先端部に固定され、下方に延出する部材とを有しており、これらの部材は、延出する方向に直交する両側が屈曲され、強度が高められている。
【００５４】
第２操作部６は、図１に示すように、第２脚部２Ｆｂが配置されている側とは反対側に設けられている。第２操作部６は、図３に示すように、第２案内部６３、第２ガイド軸６２、第２ガイド軸６２を支持する軸支持部（図示省略）、および第１操作部５と同様に、一対のダイアル部８Ａ，８Ｂを備える。
【００５５】
第２案内部６３は、図３に示すように、板金製で延出部４２１の先端、すなわち、延出部４２１における下方に延出する部材の先端に取り付けられ、左右方向が前後方向より大きいトラック状の挿通孔６３ｈが形成されている。
【００５６】
第２ガイド軸６２は、ネジ溝を有し、一端側が図示しない軸支持部に固定され、他端側が第２案内部６３の挿通孔６３ｈに挿通される。そして、第２ガイド軸６２は、第２中心軸２０Ａｘに交差する方向（上下方向）に延出するように配置される。
【００５７】
第２操作部６のダイアル部８Ａ，８Ｂは、第１操作部５のダイアル部８Ａ，８Ｂと同様に、第２案内部６３を挟持するように構成されている。
【００５８】
第２案内部６３は、第２操作部６のダイアル部８Ａ，８Ｂが回転されることにより、ダイアル部８Ａ，８Ｂに挟持されている状態が開放される。そして、第２案内部６３の移動、すなわち、延出部４２１の押出しや引入れが可能となり、延出部４２１に接続されている第２支持部３２は、第２中心軸２０Ａｘから離れている部位が押し出されたり引き入れされたりすることによって、第２中心軸２０Ａｘを中心に回動する。
【００５９】
第３調整部４３は、図３に示すように、延出部４３１、および第３操作部７を備え、第２支持部３２に対し、第３中心軸３０Ａｘを中心として第３支持部３３を回動させる。
延出部４３１は、第３支持部３３のフレーム３３Ｒに取り付けられ、突出部材３２５の下方に位置するように設けられている。延出部４３１は、板金製であり、延出部４２１と同様に、右方（＋Ｘ方向）に延出する部材と、この部材の先端部に固定され、下方に延出する部材とを有しており、これらの部材は、延出する方向に直交する両側が屈曲され、強度が高められている。
【００６０】
第３操作部７は、図１に示すように、第２操作部６と同様に、第２脚部２Ｆｂが配置されている側とは反対側に設けられている。第３操作部７は、図３に示すように、第３案内部７２、第３ガイド軸７３、第３ガイド軸７３を支持する軸支持部（図示省略）、および第１操作部５と同様に、一対のダイアル部８Ａ，８Ｂを備える。
【００６１】
第３案内部７２は、板金製で、図３に示すように、延出部４３１の先端、すなわち、延出部４３１における下方に延出する部材の先端に取り付けられ、前後方向が左右方向より大きいトラック状の挿通孔７２ｈが形成されている。
【００６２】
第３ガイド軸７３は、ネジ溝を有し、一端側が図示しない軸支持部に固定され、他端側が第３案内部７２の挿通孔７２ｈに挿通される。そして、第３ガイド軸７３は、第３中心軸３０Ａｘに交差する方向（上下方向）に延出するように配置される。
【００６３】
第３操作部７のダイアル部８Ａ，８Ｂは、第１操作部５のダイアル部８Ａ，８Ｂと同様に、第３案内部７２を挟持するように構成されている。
【００６４】
第３案内部７２は、第３操作部７のダイアル部８Ａ，８Ｂが回転されることにより、ダイアル部８Ａ，８Ｂに挟持されている状態が開放される。そして、第３案内部７２の移動、すなわち、延出部４３１の押出しや引入れが可能となり、延出部４３１に接続されている第３支持部３３は、第３中心軸３０Ａｘから離れている部位が押し出されたり引き入れされたりすることによって、第３中心軸３０Ａｘを中心に回動する。
【００６５】
このように、調整機構３は、本体フレーム２Ａとプロジェクター１００とを連結し、第１操作部５、第２操作部６および第３操作部７が操作されることによって、第１支持部３１、第２支持部３２および第３支持部３３をそれぞれ個別に回動させる。そして、第３支持部３３に保持されているプロジェクター１００は、調整機構３の操作に応じて３方向の姿勢の調整（水平回転調整、水平ロール調整およびチルト調整）が行われる。
【００６６】
〔連結部の構成〕
次に、連結部２３について詳細に説明する。
図４は、本体フレーム２Ａにおける連結部２３近傍を示す断面図であり、１つの連結部２３に注目した図である。具体的に、図４（ａ）は、第１フレーム２１と第２フレーム２２とが分離された状態を示す図、（ｂ）は、第２フレーム２２に第１フレーム２１が載置された状態を示す図、（ｃ）は、第１フレーム２１と第２フレーム２２とが連結された状態を示す図である。
【００６７】
連結部２３は、図４（ａ）に示すように、係合部としての可動部材２３１、案内部２３２、係止部２３３、固定ネジ２３４、および被係合部としての固定部材２３５を備えている。可動部材２３１、案内部２３２、係止部２３３、および固定ネジ２３４は、第１延出部２１２の先端部に設けられ、固定部材２３５は、第２延出部２２２の先端部に設けられる。
【００６８】
案内部２３２は、第１延出部２１２の先端部にカシメ等によって取り付けられており、図４（ａ）に示すように、第１延出部２１２に挿入される挿入部２３２１、および挿入部２３２１の外径より小さな外径の円柱部２３２２を有し、この円柱部２３２２が第１延出部２１２から突出している。そして、案内部２３２の中央には、ネジ孔が形成されている。
【００６９】
可動部材２３１は、一方の側が開口する円筒状に形成されており、内面には、ネジ溝２３１Ｍが形成され、他方の側には、内面の内径より小さな径の丸孔が形成されている。この丸孔は、案内部２３２の円柱部２３２２が挿通される孔であり、可動部材２３１の他方の側には、この丸孔の周囲に環状の突設部２３１１が設けられることとなる。
【００７０】
係止部２３３は、案内部２３２の円柱部２３２２の外径より大きく、可動部材２３１の内径より小さな外径を有して板状に形成されている。そして、係止部２３３の中央には、固定ネジ２３４が挿通される挿通孔が形成されている。
【００７１】
係止部２３３は、可動部材２３１の丸孔に案内部２３２の円柱部２３２２が挿通された後、挿通孔に固定ネジ２３４が挿通されて、案内部２３２の先端に固定される。そして、係止部２３３は、第１延出部２１２の延出方向に沿う第１方向（上下方向）における可動部材２３１の第２フレーム２２側への移動により、所定の位置で可動部材２３１を係止する。
【００７２】
可動部材２３１は、突設部２３１１が挿入部２３２１に当接することで上方への移動が規制され、突設部２３１１が係止部２３３に当接することで下方への移動が規制される。すなわち、可動部材２３１は、挿入部２３２１と係止部２３３との間で円柱部２３２２に案内され、第１方向（上下方向）に沿って移動可能となる。また、可動部材２３１は、係止部２３３に対し、第１方向（上下方向）に交差する方向（前後左右）において、遊嵌状態で配置される。
【００７３】
本実施形態では、係止部２３３として座金が用いられ、固定ネジ２３４として六角穴付きボルトが用いられている。なお、係止部２３３を座金以外で構成してもよく、また、案内部２３２の先端に固定する方法としては、ネジ固定に限らず、カシメ加工や熱溶着加工等を用いてもよい。
【００７４】
固定部材２３５は、第２延出部２２２の先端部にカシメ等によって取り付けられており、一部が第２延出部２２２に挿入され、一部が第２延出部２２２から突出している。
固定部材２３５の第２延出部２２２から突出する部位には、外周面にネジ溝２３５Ｍが形成され、中央に凹部２３５ａが形成されている。
ネジ溝２３５Ｍは、可動部材２３１のネジ溝２３１Ｍが螺合するように形成され、凹部２３５ａは、固定ネジ２３４の頭部が挿入可能な大きさに形成されている。固定ネジ２３４の頭部は、第２フレーム２２に向かって突出する突出部に相当する。
また、固定部材２３５の第２延出部２２２から突出する部位の外周縁部は、面取り加工が施されている。
【００７５】
ここで、第１フレーム２１と第２フレーム２２とを連結する方法について説明する。
先ず、第１フレーム２１には、調整機構３を介してプロジェクター１００が支持される。
調整機構３を介してプロジェクター１００を支持する第１フレーム２１は、床等に載置された第２フレーム２２に連結される。
具体的に、使用者は、第２フレーム２２を床等に載置した状態で、凹部２３５ａに固定ネジ２３４の頭部を挿入するように、第２フレーム２２に第１フレーム２１を載置する（図４（ｂ）参照）。可動部材２３１が係止部２３３に対し、遊嵌状態で配置されているので、凹部２３５ａに固定ネジ２３４の頭部を挿入する際に、可動部材２３１は、ネジ溝２３１Ｍの先端部が固定部材２３５のネジ溝２３５Ｍの先端に位置するように配置される。
【００７６】
また、図４（ｂ）に示すように、第１フレーム２１が第２フレーム２２に載置された状態で、係止部２３３の下面と固定部材２３５の上面とが当接する。すなわち、第１フレーム２１は、第１延出部２１２に配置される部材（係止部２３３）と、第２延出部２２２に配置される部材（固定部材２３５）とが面接触することにより、第２フレーム２２に対する第１方向の位置が決められる。
【００７７】
次に、可動部材２３１が回転されると、ネジ溝２３１Ｍとネジ溝２３５Ｍとが螺合（係合）する。そして、突設部２３１１が係止部２３３に当接するまで可動部材２３１が回転されると、図４（ｃ）に示すように、第１フレーム２１と第２フレーム２２とが連結された状態となる。
一方、可動部材２３１が緩められ、ネジ溝２３１Ｍとネジ溝２３５Ｍとの螺合（係合）が解除されると、第１フレーム２１と第２フレーム２２との分離が可能となる。
このように、連結部２３は、第１フレーム２１と第２フレーム２２とを分離可能に連結する。
【００７８】
次に、上下方向における連結部２３の位置について説明する。
図２に戻って、プロジェクター支持装置１は、第２フレーム２２が分離された状態で、第１フレーム２１および第１フレーム２１側に配置される部材がプロジェクター１００の下端、すなわち、脚部１２Ｆの下端より上側に位置するように形成されている。
具体的に、上下方向における連結部２３の位置について、図５を用いて説明する。
図５は、プロジェクター支持装置１、およびプロジェクター支持装置１に支持されたプロジェクター１００を示す側面図である。
【００７９】
前述したように、第１フレーム２１側には、可動部材２３１、案内部２３２、係止部２３３、および固定ネジ２３４が配置される（図４参照）。
そして、プロジェクター支持装置１は、第２フレーム２２が分離された状態で、図２、図４（ａ）に示すように、第１フレーム２１および第１フレーム２１に配置される部材のうち最も下側に位置する部材は、可動部材２３１となる。
【００８０】
また、可動部材２３１は、上下方向に移動可能に構成され、図４（ｂ）に示すように、下端が固定ネジ２３４の下端より上方に位置することが可能に構成されているので、実質的に固定ネジ２３４が最も下側に位置する部材となる。また、４つの第１延出部２１２に配置された可動部材２３１および固定ネジ２３４は、上下方向において略同一の位置に形成されている。そして、固定ネジ２３４の下端の位置Ｐ１は、図５に示すように、脚部１２Ｆの下端の位置Ｐ２より上側に位置する。
【００８１】
このように、プロジェクター支持装置１は、第２フレーム２２が分離された状態で、第１フレーム２１および第１フレーム２１に配置される部材がプロジェクター１００の下端より上側に位置するように形成されている。
また、調整機構３は、図５に示すように、第３操作部７が最も下側に位置するように構成されており、下端の位置Ｐ３は、固定ネジ２３４の下端の位置Ｐ１、すなわち、第１フレーム２１および第１フレーム２１に配置される部材の下端の位置より上側に位置している。
【００８２】
以上説明したように、本実施形態のプロジェクター支持装置１によれば、以下の効果を得ることができる。
（１）第１フレーム２１に調整機構３を介してプロジェクター１００を取り付けた後、第１フレーム２１を第２フレーム２２に連結させることができる。よって、プロジェクター１００をプロジェクター支持装置１に支持させる際に、プロジェクター１００を上下反転させたり、プロジェクター１００が損傷しないようにプロジェクター支持装置１内に慎重に配置したりすることなく、容易にプロジェクター支持装置１内の所定の位置にプロジェクター１００を配置することができる。同様に、プロジェクター支持装置１に支持されたプロジェクター１００を取り出す場合にも、プロジェクター１００を上下反転させることなく第１フレーム２１と第２フレーム２２とを分離し、容易にプロジェクター１００を取り出すことができる。
また、分離されないように構成されたプロジェクター支持装置に比べ、プロジェクター１００とプロジェクター支持装置１との間を小さくできるので、プロジェクター支持装置１の小型化が可能となる。
また、プロジェクター支持装置１は、上下に分離できるので、輸送等で梱包される際に、コンパクトな収納が可能となり、分離されないように構成されたプロジェクター支持装置に比べ、トラック等の荷積み可能な領域により多くの数を収納できるので、輸送効率が向上する。
【００８３】
（２）プロジェクター支持装置１は、第２フレーム２２が分離された状態で、第１フレーム２１および第１フレーム２１に配置される部材がプロジェクター１００の下端より上側に位置するように形成されている。これによって、プロジェクター１００を床等に載置した状態で、プロジェクター１００を持ち上げたりすることなく、調整機構３や第１フレーム２１の取り付け、取り外しができる。よって、プロジェクター１００のプロジェクター支持装置１への取り付け、取り外しが容易となる。
【００８４】
（３）可動部材２３１（係合部）と固定部材２３５（被係合部）とを係合させることで、第１フレーム２１と第２フレーム２２とを連結し、係合を解除させることで第１フレーム２１と第２フレーム２２とを分離することができる。よって、第１フレーム２１と第２フレーム２２との連結、分離を容易に行うことが可能となる。
【００８５】
（４）第１フレーム２１と第２フレーム２２とが連結された際に、第１フレーム２１、調整機構３およびプロジェクター１００の重量が接触する部位に加わることとなる。本実施形態のプロジェクター支持装置１は、接触する部位が面接触するように構成されているので、第１フレーム２１、調整機構３およびプロジェクター１００の重量を面で支えることができる。よって、長期に亘って安定してプロジェクター１００を支持できるプロジェクター支持装置１の提供が可能となる。
【００８６】
（５）可動部材２３１の回転による、ネジ溝２３１Ｍと固定部材２３５のネジ溝２３５Ｍとの螺合、および螺合の解除によって、第１フレーム２１と第２フレーム２２との連結、分離が行われる。これによって、第１フレーム２１と第２フレーム２２との連結、分離を行うためのレバー等の突出部を設けることなく、容易に第１フレーム２１と第２フレーム２２との連結、分離を行えるプロジェクター支持装置１が可能となる。また、レバー等の突出部がなく本体フレーム２Ａを構成できるので、プロジェクター支持装置１の取り扱い性の向上や見栄えの向上が可能となる。
【００８７】
（６）可動部材２３１は、係止部２３３に対し、遊嵌状態で配置されるので、可動部材２３１と固定部材２３５とを精度良く合わせなくとも、可動部材２３１のネジ溝２３１Ｍと固定部材２３５のネジ溝２３５Ｍとを螺合させることが可能となる。よって、容易に第１フレーム２１と第２フレーム２２とを連結させることが可能となる。
【００８８】
（７）第１フレーム２１と第２フレーム２２とを連結する際に、凹部２３５ａに固定ネジ２３４の頭部（突出部）を挿入することで、第１フレーム２１と第２フレーム２２とを位置合わせすることができる。よって、容易に第１フレーム２１と第２フレーム２２とを連結することが可能となる。
【００８９】
（８）調整機構３は、下端の位置Ｐ３が固定ネジ２３４の下端の位置Ｐ１より上側に位置している。これによって、調整機構３が支持された第１フレーム２１を床等に載置した場合であっても、調整機構３は、床等に接触しないので、調整機構３に負荷を与えずにプロジェクター支持装置１の組み立て作業や設置作業等を行うことができる。
【００９０】
（９）プロジェクター支持装置１は、スタック用結合部２Ｓを備えるので、複数のプロジェクター１００を容易に重ねて配置することができる。
【００９１】
（変形例）
なお、前記実施形態は、以下のように変更してもよい。
前記実施形態の連結部２３は、可動部材２３１、案内部２３２、係止部２３３、および固定ネジ２３４が第１延出部２１２の先端部に設けられ、固定部材２３５が第２延出部２２２の先端部に設けられているが、可動部材２３１、案内部２３２、係止部２３３、および固定ネジ２３４を第２延出部２２２の先端部に設け、固定部材２３５を第１延出部２１２の先端部に設けてもよい。この構成の場合、固定部材２３５が係合部に相当し、可動部材２３１が被係合部に相当することとなる。
【００９２】
前記実施形態における第１フレーム２１は、係止部２３３と固定部材２３５とが面接触することにより、第２フレーム２２に対する第１方向の位置が決められるように構成されているが、この構成に限らない。すなわち、第１延出部２１２または第１延出部２１２に配置される部材と、第２延出部２２２または第２延出部２２２に配置される部材とが面接触することにより、第２フレーム２２に対する第１フレーム２１の第１方向の位置が決められる構成であればよい。
【００９３】
前記実施形態では、第２フレーム２２に向かって突出する突出部（固定ネジ２３４の頭部）が第１フレーム２１側に設けられ、この突出部が挿入される凹部２３５ａが第２フレーム２２側に設けられているが、第１フレーム２１に向かって突出する突出部を第２フレーム２２側に設け、この突出部が挿入される凹部を第１フレーム２１側に設けてもよい。
【００９４】
前記実施形態では、ネジ溝２３１Ｍとネジ溝２３５Ｍとの螺合によって第１フレーム２１と第２フレーム２２とが連結するように構成されているが、ネジ溝の螺合以外の構成で、第１フレーム２１と第２フレーム２２とが連結、分離されるように構成してもよい。例えば、連結部が付勢部、引掛け部、凹部、操作部等を備え、付勢部によって付勢された引掛け部が凹部に係合し、操作部の操作によって係合が解除されるように構成してもよい。
【符号の説明】
【００９５】
１…プロジェクター支持装置、２Ａ…本体フレーム、３…調整機構、１２Ｆ…脚部、２１…第１フレーム、２２…第２フレーム、２３…連結部、２５…調整機構支持部、１００…プロジェクター、１１０…投写レンズ、１２０…外装筐体、１２１…ハンドル、２１１…上フレーム、２１２…第１延出部、２２１…下フレーム、２２２…第２延出部、２３１…可動部材（係合部）、２３１Ｍ，２３５Ｍ…ネジ溝、２３２…案内部、２３３…係止部、２３４…固定ネジ、２３５…固定部材（被係合部）、２３５ａ…凹部、２３１１…突設部、２３２１…挿入部、２３２２…円柱部。
【図１】
2015132749.tif 000003
【図２】
2015132749.tif 000004
【図３】
2015132749.tif 000005
【図４】
2015132749.tif 000006
【図５】
2015132749.tif 000007